(57)【要約】【課題】  複数の第２ＳＩＦの周波数に対応する移動体におけるテレビジョン受信機において、音声受信性能を劣化させることなく第２ＳＩＦ周波数を一定の周波数に変換する音声中間周波数変換回路を提供する。【解決手段】  第１ＳＩＦの周波数を変換する第一の混合器(10)の出力を入力する第二の混合器(12)と基準信号源(14,18)と分周器(17)とを設け、基準信号源の出力を分周器に通した後、第二の混合器(12)で周波数変換することにより第２ＳＩＦの周波数が一定の周波数となるように変換する。分周器の分周比はＶＩＦと第１ＳＩＦとの周波数差に応じて切り替えることにより一定の周波数に変換することが可能となる。【選択図】図１
2006148533.tif 000002
【特許請求の範囲】
【請求項１】
音声受信機における第一の音声中間周波信号の周波数を変換して一定の周波数となる第二の音声中間周波信号を得る音声中間周波数変換回路であって、第一の発振信号を出力する第一の発振器と、前記第一の音声中間周波信号と前記第一の発振信号とを入力し混合して出力する第一の混合器と、前記第一の混合器の出力から所望の信号を通過させるフィルタと、第二の発振信号を出力する第二の発振器と、前記第二の発振器の出力を分周する分周器と、前記フィルタの出力と前記分周器の出力とを混合し前記第二の音声中間周波信号を出力する第二の混合器とを有することを特徴とする音声中間周波数変換回路。
【請求項２】
前記第二の発振器は、チューナ部の基準信号発振器を用いることを特徴とする請求項１記載の音声中間周波数変換回路。
【請求項３】
テレビジョン受信機における第一の音声中間周波信号の周波数を変換して一定の周波数となる第二の音声中間周波信号を得る音声中間周波数変換回路であって、基準信号を発振する基準信号発振器と、前記第一の音声中間周波信号と前記基準信号とを入力し混合して出力する第一の混合器と、前記第一の混合器の出力から所望の信号を通過させるフィルタと、前記基準信号発振器の出力を分周する分周器と、前記フィルタの出力と前記分周器の出力を混合し前記第二の音声中間周波信号を出力する第二の混合器とを有することを特徴とする音声中間周波数変換回路。
【請求項４】
前記分周器は、前記基準信号の周波数を分周し、前記第一の音声中間周波信号の周波数に応じて切り替え出力することを特徴とする請求項１または３記載の音声中間周波数変換回路。
【請求項５】
前記基準信号発振器は、水晶発振器であることを特徴とする請求項３記載の音声中間周波数変換回路。
【請求項６】
前記分周器は前記第二の混合器が周波数変換動作をしない場合には停止することを特徴とする請求項３記載の音声中間周波数変換回路。
【請求項７】
請求項１または３記載の第一の音声中間周波数を第二の音声中間周波数に変換する音声中間周波数変換回路を備えた音声受信機であって、さらに、ＲＦ信号を受信するアンテナと、前記ＲＦ信号を入力し第一の音声中間周波信号に変換し出力するチューナ部と、前記第一の音声中間周波信号を選択的に通過させるフィルタと、前記第二の音声中間周波信号から音声ベースバンド信号を出力する音声中間周波処理部と、を備えたことを特徴とする音声受信機。
【発明の詳細な説明】
【技術分野】
【０００１】
本発明は音声中間周波数変換回路に関し、特に、複数の音声中間周波数に対応し、音声特性を重視した音声受信機を構成できる音声中間周波数変換回路に関する。以後の説明においては、音声中間周波数を「ＳＩＦ」、映像中間周波数を「ＶＩＦ」と略記する。
【背景技術】
【０００２】
テレビジョン放送において異なった周波数および方式で受信可能な地域が存在する場合、これらの放送をすべて受信できる受信機が必要な場合がある。無線周波数（ＲＦ）が異なるのはもちろんのこと、映像中間周波数（ＶＩＦ）、音声第一中間周波数（第１ＳＩＦ）も異なり、さらにこれらの差となる音声第二中間周波数（第２ＳＩＦ）もＰＡＬ方式のテレビ放送地域では５．５ＭＨｚ、６．０ＭＨｚ、６．５ＭＨｚと３種類の周波数が存在している。さらに、ＮＴＳＣ方式のテレビ信号では第２SＩＦ信号は４．５ＭＨｚに設定されている。これらの複数の第２ＳＩＦに対応するため従来から種々のＳＩＦ信号処理方式が提案されている（例えば、特許文献１および特許文献２参照）。
【０００３】
しかしながら、最近では携帯受信機、車載機等移動体にテレビが搭載されるようになってきており、従来の技術では不十分な面も出てきている。車載テレビの場合、規制により運転中の映像については見ることが出来ないため、従来の家庭用テレビに比べてよりよい音声性能が要求される。すなわち、音声感度、対ノイズ特性のよいテレビ受信機が必要であり、また、小型化の要求もある。
【０００４】
以下、複数種類の第２ＳＩＦに対応した車載用に用いられている従来技術のＳＩＦ変換回路のについて図５を用いて説明する。
【０００５】
図５は車載用に用いられているスプリットキャリア方式のテレビジョン受信機の構成を簡単に表したブロック図である。このテレビジョン受信機は、アンテナ１、テレビチューナ２、映像帯域通過フィルタ(BPF1)３、映像中間周波信号(VIF)処理部４、音声第二中間周波信号(SIF)処理部６、音声第一中間周波帯域通過フィルタ(BPF2)８、音声第二中間周波帯域通過フィルタ(BPF3)９、ＳＩＦ変換回路１００とで構成され、５は映像ベースバンド出力端子、７は音声ベースバンド出力端子である。
【０００６】
また、ＳＩＦ変換回路１００は混合器（MIX1）１０、バッファアンプ(BUF)１３、水晶発振器(OSC)１４、水晶振動子１５ａ、１５ｂおよび１５ｃとで構成され、２０は水晶振動子切り替え端子である
【０００７】
以上のように構成された従来のテレビジョン受信機の動作について説明する。図５において、アンテナ１から入力されたテレビＲＦ信号はＴＶチューナ２で選局・増幅され、ＶＩＦ信号と第１ＳＩＦ信号（以後、「ＳＩＦ１信号」とも呼ぶ）へと変換される。本来、ＶＩＦおよび第１SＩＦ信号は放送地域によって異なるが、シンセサイザ方式のＴＶチューナ部ではチューナ部の局部発振器（ＶＣＯ）の周波数を適切な値に設定することにより、ＶＩＦを一定とすることは可能である。この場合、第１ＳＩＦ信号は地域により異なった周波数となる。
【０００８】
次に、ＶＩＦ信号は帯域通過フィルタ３を通り映像中間周波信号(VIF)処理部４に入力され、増幅・検波されて映像ベースバンド信号となって端子５から出力される。一方、第１ＳＩＦ信号は帯域通過フィルタ８を通りＳＩＦ変換回路１００へと入力される。ＳＩＦ変換回路１００では第２ＳＩＦ信号が一定の周波数となるように周波数変換が行われ、この出力は帯域通過フィルタ９を通ってＳＩＦ信号処理部６に入力されて増幅・検波され、音声ベースバンド信号となって端子７から出力される。
【０００９】
次にＳＩＦ変換回路１００の動作について説明する。帯域通過フィルタ８を通過した第１ＳＩＦ信号は混合器（MIX1）１０に入力される。そして、水晶発振器１４の出力と混合されて第２ＳＩＦ信号（以後、「ＳＩＦ２信号」とも呼ぶ）へと変換される。ここで、水晶振動子１５ａ，１５ｂおよび１５ｃは使用する第１ＳＩＦ信号によって適切なものを選択し、第２ＳＩＦ信号の周波数が一定となるようにする。たとえば、ＶＩＦ信号の周波数が３８．０ＭＨｚで一定になるようにチューナ部２を設定したときには、ＶＩＦと第１ＳＩＦの差が５．５ＭＨｚ、６．０ＭＨｚ、６．５ＭＨｚである場合に対応して、第１ＳＩＦ信号の周波数としては３２．５ＭＨｚ、３２．０ＭＨｚ、３１．５ＭＨｚになる。ここで水晶発振器１４の発振周波数を２１．８ＭＨｚ、２１．３ＭＨｚ、２０．８ＭＨｚになるように水晶発振子１５ａ，１５ｂおよび１５ｃを選ぶと、第２ＳＩＦ信号の周波数はいずれの場合も１０．７ＭＨｚで一定となる。
【００１０】
ここでは第２ＳＩＦ信号は一定の周波数として１０．７ＭＨｚとしているが、これはＦＭ受信機におけるＦＭ−中間周波数の差に設定したためで、第２ＳＩＦは他の周波数でも成立する。また、図中のブロック１４で水晶発振器を使用しているのは位相雑音のよい発振出力を得るためである。さらに、ＮＴＳＣ受信も考慮した場合は、２２．８ＭＨｚの水晶振動子を１個追加することでＶＩＦと第１ＳＩＦの差が４．５ＭＨｚの場合も受信可能となる。
【００１１】
また、図５のテレビジョン受信機では、音声放送のＦＭ放送の受信も可能である。ＦＭ放送の場合、テレビの音声放送と同じＦＭ変調波であり、ＶＨＦ帯に周波数があるため、図５の音声復調部分を利用して放送が受信できる。ＴＶチューナ部２でＦＭ放送を受信し、第１SＩＦ周波数としてたとえば３２．０ＭＨｚとし、水晶波発振器の周波数を２１．３ＭＨｚとすれば第２ＳＩＦ周波数は１０．７ＭＨｚとなり、ＦＭ音声受信が可能となる。この場合、映像信号はないので映像中間周波信号(VIF)処理部４の動作は停止されている。
【００１２】
【特許文献１】特開平５−７３５２号公報
【特許文献２】特開平１０−１３６２８７号公報
【発明の開示】
【発明が解決しようとする課題】
【００１３】
しかしながら、図５のように構成される従来のＳＩＦ変換回路では３個または４個の水晶振動子を必要とし、コスト的に高くなる。また、実装スペース的にも大きくなるため、小型化の要求される移動体受信機には適していない。
【００１４】
また、特許文献１に開示の発明では映像中間周波数（ＶＩＦ）と音声中間周波数（ＳＩＦ）との差が５．５ＭＨｚ、６．０ＭＨｚ、６．５ＭＨｚの３波にしか対応できず、ＮＴＳＣも考慮した４．５ＭＨｚに対応できないという課題がある。
【００１５】
また、特許文献２に開示の発明ではＮＴＳＣも考慮した前記周波数の対応は可能であるが、ＰＬＬ回路を構成するため回路規模が大きくなるという課題がある。さらに局部発信器（ＶＣＯ）としてはＩＣ内蔵型のものを使用すると雑音特性が悪く、音声特性の劣化原因となる。
【００１６】
本発明は上記従来の課題を解決するもので、映像−音声中間周波数差がＮＴＳＣも考慮した４．５ＭＨｚ、５．５ＭＨｚ、６．０ＭＨｚ、６．５ＭＨｚの場合に対応し、小型化が可能で、特に、車載等の移動体の音声受信機において音声受信性能を悪化させることのないＳＩＦ変換回路を提供することを目的とする。
【課題を解決するための手段】
【００１７】
上記目的を達成するために、本発明の第１の態様に係る音声中間周波数変換回路は、音声受信機における第一の音声中間周波信号の周波数を変換して一定の周波数となる第二の音声中間周波信号を得る音声中間周波数変換回路であって、第一の発振信号を出力する第一の発振器と、前記第一の音声中間周波信号と前記第一の発振信号とを入力し混合して出力する第一の混合器と、前記第一の混合器の出力から所望の信号を通過させるフィルタと、第二の発振信号を出力する第二の発振器と、前記第二の発振器の出力を分周する分周器と、前記フィルタの出力と前記分周器の出力とを混合し前記第二の音声中間周波信号を出力する第二の混合器とを有することを特徴としている。
【００１８】
この構成によれば、第二の発振器の出力を簡単な構成の分周器によって分周し第一の混合器の出力と混合して単一の第２ＳＩＦ周波数を得ることが可能となり小型でノイズ特性のよいＳＩＦ変換回路が得られる。
【００１９】
上記構成において、好ましくは、ＳＩＦ変換回路における第二の発振器は、テレビチューナ部の基準信号発振器を用いてもよい。この構成によれば発振器をひとつ削減でき、雑音特性のよい基準信号源を使用できるため，小型でノイズの少ないＳＩＦ変換回路が構成できる。
【００２０】
本発明の第２の態様に係る音声中間周波数変換回路は、テレビジョン受信機における第一の音声中間周波信号の周波数を変換して一定の周波数となる第二の音声中間周波信号を得る音声中間周波数変換回路であって、基準信号を発振する基準信号発振器と、前記第一の音声中間周波信号と前記基準信号とを入力し混合して出力する第一の混合器と、前記第一の混合器の出力から所望の信号を通過させるフィルタと、前記基準信号発振器の出力を分周する分周器と、前記フィルタの出力と前記分周器の出力を混合し前記第二の音声中間周波信号を出力する第二の混合器とを有することを特徴としている。
【００２１】
この構成によれば基準発振器出力を簡単な構成の分周器によって分周し、第一の混合器の出力と混合して単一の第２ＳＩＦの周波数を得ることが可能となり、小型でノイズ特性のよいＳＩＦ変換回路が得られる。
【００２２】
上記態様１または２の構成において、好ましくは、前記分周器は、前記基準信号の周波数を分周し前記第一の音声中間周波信号の周波数に応じて切り替え出力する構成としてもよい。
【００２３】
この構成によれば小規模な回路構成により、例えば０．５ＭＨｚ、１．０ＭＨｚ出力が可能な分周器を構成でき小型化が可能なＳＩＦ周波数変換回路が可能である。
【００２４】
また、上記第２の態様の構成において、好ましくは、前記基準信号発振器は、水晶発振器であってもよい。この構成によれば、基準発振器にノイズ特性にすぐれた水晶発振器を使用することによりノイズの少ないＳＩＦ変換回路を構成できる。
【００２５】
また、上記第２の態様の構成において、好ましくは、前記分周器は前記第二の混合器が周波数変換動作をしない場合には停止する構成としてもよい。この構成によれば、分周器で発生する基準信号の高調波成分によるノイズ特性の悪化を最小限に押さえることができるＳＩＦ周波数変換回路を構成できる。
【００２６】
また、本発明の第３の態様に係る音声受信機は、上記第１または第２の態様で記載した第一の音声中間周波数を第二の音声中間周波数に変換する音声中間周波数変換回路を備えた音声受信機であって、さらに、ＲＦ信号を受信するアンテナと、前記ＲＦ信号を入力し第一の音声中間周波信号に変換し出力するチューナ部と、前記第一の音声中間周波信号を選択的に通過させるフィルタと、前記第二の音声中間周波信号から音声ベースバンド信号を出力する音声中間周波処理部と、を備えたことを特徴とする。
【発明の効果】
【００２７】
本発明の第１の態様によれば、ＳＩＦ変換回路では、従来のＳＩＦ変換回路に加えて混合器、発振器および分周器を設け、発振器出力およびその分周出力周波数を切り替えることにより映像中間周波数と音声中間周波数の差が複数にわたるテレビジョン受信機を音声の特性を劣化させることなく構成でき、車載等の移動体に最適なテレビジョン受信機が可能となる。
【００２８】
また、本発明の第１の態様の好ましいＳＩＦ変換回路では、第二の発振器にチューナ部の基準信号発振器出力を用いることによって発振器を１個省略でき小型化が可能なＳＩＦ変換回路が構成できる。
【００２９】
また、本発明の第２の態様によるＳＩＦ変換回路では、従来のＳＩＦ変換回路に加えて混合器および分周比の切り替え可能な分周器を設け、発振器出力の分周出力周波数を切り替えることにより映像中間周波数と音声中間周波数の差が複数にわたるテレビジョン受信機を音声の特性を劣化させることなく構成でき、車載等移動体に最適なテレビジョン受信機が可能となる。
【００３０】
また、本発明の第１または第２の態様の好ましいＳＩＦ変換回路では、分周器出力を第１ＳＩＦ信号の周波数に応じて切り替えることによってＳＩＦ変換回路を少ない素子で構成ができ小型化が可能である。
【００３１】
また、本発明の第２の態様の好ましいＳＩＦ変換回路では、発振器を水晶発振器とすることによってノイズ特性のよいＳＩＦ変換回路の構成が可能である。
【００３２】
また、本発明の第２の態様の好ましいＳＩＦ変換回路では、混合器が周波数変換動作をしない場合には分周器の動作を停止することによって妨害の少ないＳＩＦ変換回路の構成が可能である。
【００３３】
また、本発明の第３の態様による音声受信機は、上記第１または第２の態様で記載した第一の音声中間周波数を第二の音声中間周波数に変換する音声中間周波数変換回路を備えた音声受信機であって、さらに、ＲＦ信号を受信するアンテナと、前記ＲＦ信号を入力し第一の音声中間周波信号に変換し出力するチューナ部と、前記第一の音声中間周波信号を選択的に通過させるフィルタと、前記第二の音声中間周波信号から音声ベースバンド信号を出力する音声中間周波処理部と、を備えたことにより小型で音質のよい優れた音声受信機を構成できる。
【発明を実施するための最良の形態】
【００３４】
以下、添付の図面を参照して本発明の実施の形態について説明する。なお、各図において共通する要素には同一の符号を付し、重複する説明については簡単のために省略している。
【００３５】
（実施の形態１）
図１は本発明の実施の形態１におけるＳＩＦ変換回路を含むテレビジョン受信機のブロック図であり、図５に示す従来例と同一部分は同一符号を用いている。このテレビジョン受信機は、アンテナ１、テレビチューナ２、映像帯域通過フィルタ(BPF1)３、映像中間周波信号(VIF)処理部４、音声中間周波信号(SIF)処理部６、音声第一中間周波帯域通過フィルタ(BPF2)８、音声第二中間周波帯域通過フィルタ(BPF3)９およびＳＩＦ変換回路１００とを備えた構成であり、５は映像ベースバンド出力端子、７は音声ベースバンド出力端子である。
【００３６】
ここで、ＳＩＦ変換回路１００は、第１混合器（MIX1）１０、低域通過フィルタ(LPF)１１、第２混合器（MIX2）１２、バッファアンプ(BUF)１３、第１発振器（OSC1）１４、分周器１７、第２発振器（OSC2）１８とを備える構成であり、１６は分周比切り替え端子である。
【００３７】
次に、以上のように構成された本発明のSIF変換回路を含むテレビジョン受信機の動作について説明する。図１において、アンテナ１から入力されたテレビジョンＲＦ信号はＴＶチューナ２で選局・増幅されてＶＩＦ信号と第１ＳＩＦ信号（ＳＩＦ１信号）に変換される。ＶＩＦ信号は帯域通過フィルタ(BPF1)３を通り映像中間周波信号(VIF)処理部４に入力されて増幅・検波され、映像ベースバンド信号となり端子５から出力される。
【００３８】
一方、第１ＳＩＦ信号は帯域通過フィルタ(BPF2)８を通り、ＳＩＦ変換回路１００へと入力される。ＳＩＦ変換回路１００では第２ＳＩＦ信号（ＳＩＦ２信号）の周波数が一定の周波数となるよう第１ＳＩＦ信号の周波数が変換される。ＳＩＦ変換回路１００の出力は帯域通過フィルタ(BPF3)９を通って音声中間周波信号(SIF)処理部６に入力され、増幅・検波されて音声ベースバンド信号となって端子７から出力される。
【００３９】
次に本発明のＳＩＦ変換回路１００の動作について説明する。帯域通過フィルタ(BPF2)８を通過した第１ＳＩＦ信号は第１混合器（MIX1）１０に入力される。そして、第１発振器１４の出力と混合され低域通過フィルタ１１に入力される。低域通過フィルタ１１では第１混合器（MIX1）１０の出力のうち低い周波数の信号のみを通過させ、第２混合器（MIX2）１２に入力される。一方、第２発振器１８の出力は分周器１７に入力され、分周比切り替え端子１６の切り替え信号によって、映像中間周波数ＶＩＦと第１音声中間周波数ＳＩＦとの差に応じて分周器１７の出力周波数を切り替える。分周器１７の出力は第２混合器（MIX2）１２に入力されて低域通過フィルタ１１の出力と混合され、第２混合器（MIX2）１２の出力周波数が一定の周波数となるように周波数変換される。
【００４０】
例えば、映像中間周波数（ＶＩＦ）として前述のように３８．０ＭＨｚとしたとき、第１発振器１４の出力周波数を２６．０ＭＨｚとすると、第１混合器１０の出力は、ＶＩＦ信号の周波数と第１ＳＩＦ信号の周波数との差６．５ＭＨｚ、６．０ＭＨｚ、５．５ＭＨｚ、４．５ＭＨｚに対応して、それぞれ第１ＳＩＦ−２６．０ＭＨｚの演算により５．５ＭＨｚ、６．０ＭＨｚ、６．５ＭＨｚ、７．５ＭＨｚとなる。これらを第２混合器１２に入力し、分周器１７の出力として１．０ＭＨｚ、０．５ＭＨｚ、０ＭＨｚ（出力なし）、１．０ＭＨｚとすれば、第２混合器１２の出力はそれぞれ６．５ＭＨｚとなり一定の成分をもつことになる。この関係を表１に示す。表１において括弧内の周波数は各混合器で発生するが後段のフィルタで減衰する成分である。
【００４１】
この第２混合器（MIX2）１２の出力はバッファアンプ１３を通してＳＩＦ変換回路１００の出力となる。ＳＩＦ変換回路１００の出力は後段の帯域通過フィルタ９を介して所望の帯域を通過させ、単一周波数の第２ＳＩＦ信号が得られる。帯域通過フィルタ９を通って得られた第２ＳＩＦ信号は音声中間周波信号(SIF)処理部６で増幅・検波されて音声ベースバンド信号となる。
【００４２】
また、ＦＭ放送を受信する場合には第１ＳＩＦ信号の周波数として、例えば３１．５ＭＨｚとし、分周器１７の出力を０ＭＨｚとすれば受信が可能である。この場合、映像中間周波(VIF)処理部４は映像信号が入らないため、ノイズ発生源となるので動作を停止状態にしている。
【００４３】
ここで、低域通過フィルタ１１は第１混合器１０の出力のうち低い周波数の信号を通過させる機能をもつが、この低い周波数帯の帯域通過フィルタを使用することも可能である。また、バッファアンプ１３は次段の帯域通過フィルタ９とのインピーダンスマッチングをとるために設けられたもので、通常は増幅度をもつ増幅器も兼用する。
（変形例）
【００４４】
次に本実施の形態１においてＳＩＦ変換回路の変形例について説明する。図１のＴＶチュ−ナ部では通常４．０ＭＨｚの基準信号発振器を使用していることを考慮して、図１の第２発振器１８としてこの４．０ＭＨｚの基準信号発振器を使用することも可能である。これにより、発振器を１個節約でき、音声受信機のより小型化が可能である。また、この基準信号発振器の出力は選局用ＰＬＬの基準周波数となるため、安定した発振出力が得られ、ノイズ特性の優れたＳＩＦ変換回路が構成できる。
（実施の形態２）
【００４５】
図２は本発明の実施の形態２におけるＳＩＦ変換回路を含むテレビジョン受信機のブロック図であり、図１に示す実施の形態１と同一部分は同一符号を用いている。このテレビジョン受信機は、アンテナ１、テレビチューナ２、映像帯域通過フィルタ(BPF1)３、映像中間周波信号(VIF)処理部４、音声中間周波信号(SIF)処理部６、音声第一中間周波帯域通過フィルタ(BPF2)８、音声第二中間周波帯域通過フィルタ(BPF3)９、ＳＩＦ変換回路１００を備えた構成であり、５は映像ベースバンド出力端子、７は音声ベースバンド出力端子である。
【００４６】
また、ＳＩＦ変換回路１００は第１混合器（MIX1）１０、低域通過フィルタ(LPF)１１、第２混合器（MIX2）１２、バッファアンプ(BUF)１３、発振器(OSC)１４、分周器(DIV)１７を備えた構成であり、１９は第２混合器１２の動作を停止する制御信号の入力端子、１６は分周比切り替え端子であり、発振器(OSC)１４は例えば基準信号を発振する基準信号発振器である。
【００４７】
次に，以上のように構成された本発明のＳＩＦ変換回路を含むテレビジョン受信機の動作を説明する。図２において、アンテナ１から入力されたテレビジョンＲＦ信号はＴＶチューナ２で選局・増幅されてＶＩＦ信号と第１ＳＩＦ信号に変換される。ＶＩＦ信号は帯域通過フィルタ３を通り映像中間周波信号(VIF)処理部４に入力されて増幅・検波され、映像ベースバンド信号となって端子５から出力される。
【００４８】
一方、第１ＳＩＦ信号は帯域通過フィルタ８を通りＳＩＦ変換回路１００へと入力される。ＳＩＦ変換回路１００では第２ＳＩＦ信号の周波数が一定の周波数となるように周波数変換される。ＳＩＦ変換回路１００の出力は帯域通過フィルタ９を通って音声信号(SIF)処理部６に入力され、増幅・検波されて音声ベースバンド信号となり、端子７から出力される。
【００４９】
次に本実施の形態のＳＩＦ変換回路１００の動作について説明する。帯域通過フィルタ８を通過した第１ＳＩＦ信号は第１混合器１０に入力され、発振器１４の出力と混合される。第１混合器１０の出力は低域通過フィルタ１１に入力され、低域通過フィルタ１１では第１混合器１０の出力のうち低い周波数の信号のみを通過させ、第２混合器１２に入力される。一方、発振器１４の出力は分周器１７にも入力され、分周比切り替え端子１６の切り替え信号によって映像中間周波数（ＶＩＦ）と音声中間周波数（ＳＩＦ）との差に応じて分周器出力周波数を切り替える。分周器１７の出力は第２混合器１２に入力されて周波数変換され、第２混合器１２の出力周波数として一定の周波数に変換される。
【００５０】
具体的には、例えば、映像中間周波数（ＶＩＦ）として前述のように３８．０ＭＨｚとしたとき、発振器１４の出力周波数を２６．０ＭＨｚとすると第１混合器１０の出力は、ＶＩＦと第１ＳＩＦ信号の周波数差６．５ＭＨｚ、６．０ＭＨｚ、５．５ＭＨｚ、４．５ＭＨｚに対応して、５．５ＭＨｚ、６．０ＭＨｚ、６．５ＭＨｚ、７．５ＭＨｚとなる。これらを低域通過フィルタ１１を介して第２混合器１２に入力し、分周器１７の出力として１．０ＭＨｚ、０．５ＭＨｚ、０ＭＨｚ（出力なし）、１．０ＭＨｚとすれば、第２混合器１２の出力はいずれの場合もそれぞれ６．５ＭＨｚとなり、一定の成分をもつことになる。この関係は実施の形態１で表１を参照して説明したものと同様である。
【００５１】
この第２混合器１２の出力をバッファアンプ１３を通してＳＩＦ変換回路１００の出力信号となり、さらに後段の所望の帯域を通過させる帯域通過フィルタ９を介することにより単一周波数の第２ＳＩＦ信号が得られる。
【００５２】
また、ＦＭ放送を受信する場合には第１ＳＩＦ信号の周波数として、たとえば３１．５ＭＨｚとし、分周器１７の出力を０ＭＨｚとすれば受信が可能である。この場合、映像中間周波(VIF)処理部４は映像信号が入らないためノイズ発生源となるので動作を止めるようにする。
【００５３】
ここで、低域通過フィルタ１１は第１混合器１０の出力のうち低い周波数の信号を通過させる機能をもつが、この周波数帯の帯域通過フィルタを使用することも可能である。また、バッファアンプ１３は次段の帯域通過フィルタ９とのインピーダンスマッチングをとるもので、通常は増幅度をもつ増幅器も兼用する。
【００５４】
次に分周器１７の回路構成および動作について図３を用いて説明する。図３は本発明の実施の形態に係る分周器１７の構成を示すブロック図である。分周器１７は、分周比１／ｎの第１分周回路（DIV1）１７２、分周比１／２の第２分周回路（DIV2）１７３、スイッチ回路(SW)１７４を備えた構成であり、１７１は入力端子、１７５は出力端子、１６は分周比切り替え信号入力端子である。
【００５５】
次に図３に示す分周器１７の動作について説明する。発振器１４からの出力信号が入力端子１７１を介して第１分周回路１７２に入力される。第１分周回路１７２では発振器１４の出力周波数を１．０ＭＨｚに分周するように分周比が設定され、第１分周回路１７２の出力信号ｂを得る。たとえば発振器１４の発振周波数が２６．０ＭＨｚであれば分周比を１／２６に設定して、１．０ＭＨｚの信号ｂを出力する。次にこの出力信号ｂは１／２分周の第２分周回路１７３に入力され、０．５ＭＨｚの周波数に分周された信号ａが第２分周回路１７３から出力される。これら出力信号ｂ（１．０ＭＨｚ）と出力信号ａ（０．５ＭＨｚ）をスイッチ回路１７４に入力し分周比切り替え端子１６の制御信号により０．５ＭＨｚまたは１．０ＭＨｚの信号を端子１７５から選択出力する。
【００５６】
このような構成の分周器１７を使用すれば、少ない素子数により本発明のＳＩＦ変換回路が構成できる。この構成では発振器１４の発振周波数としては一般に１．０ＭＨｚの倍数に選ぶことで構成を簡単にすることができる。
【００５７】
次に図２に示す第２混合器（MIX2）１２の詳細な構成および制御動作について図４を用いて説明する。図４においてＲ１，Ｒ２は負荷抵抗、Ｒ３，Ｒ４、Ｒ５はベース抵抗、Ｒ６はエミッタ抵抗、Ｑ１とＱ２、Ｑ３とＱ４、Ｑ５とＱ６はそれぞれ差動アンプを構成するＮＰＮトランジスタ、Ｑ７はスイッチトランジスタ、Ｒ５はＱ７のベース抵抗でＱ７，Ｒ５でスイッチ回路を構成する。Ｃ１，Ｃ２はカップリングコンデンサ、２０１，２０２は分周器１７からの出力信号の入力端子、２０３，２０４は低域通過フィルタ１１からの出力を入力する端子、２０５，２０６は第２混合器（MIX2）１２の出力端子、２１１は定電圧端子、２１０はＧＮＤ端子、２０７は電源端子、２０８，２０９は定電流源である。１９は混合器の動作を停止する制御端子である。
【００５８】
この様に構成された第２混合器（MIX2）１２についてその動作を説明する。図４においてＱ１、Ｑ２，Ｑ３，Ｑ４，Ｑ５，Ｑ６で構成される回路は掛け算器としてよく知られＩＣ内蔵の混合器として採用されており、端子２０１、２０２には発振器出力が入力され、端子２０３、２０４には混合される前の信号が入力され、掛け算されて出力端子２０５，２０６からは発振器出力と信号出力の和と差の周波数成分を持つ信号が出力される。本発明では端子２０１，２０２には分周器１７の出力が入力され、端子２０３，２０４には低域通過フィルタ１１の出力が入力され、端子２０５，２０６からは第２ＳＩＦ信号が出力される。
【００５９】
ここで、定電圧端子２１１の電圧およびベース抵抗Ｒ３，Ｒ４の値はトランジスタＱ１，Ｑ２、Ｑ３，Ｑ４が飽和することなく動作するように電圧を設定する値である。以上の動作は端子１９の電圧がスイッチトランジスタＱ７がオフ状態になるように設定されている場合である。
【００６０】
端子１９の電圧を上げＱ７がオンした場合は、Ｑ２，Ｑ３のベース電圧はＱ７の飽和電圧程度に下がるため、差動アンプを構成するＱ１およびＱ４が常時導通状態となり、端子２０３，２０４から入力された信号は端子２０１，２０２から入力される分周器出力と掛け算されることなく出力端子２０５，２０６から出力される。
【００６１】
したがって、端子１９の電圧が低い場合、図４に示す回路は混合器として動作し、端子１９の電圧が高い場合には単なるバッファアンプとして動作することになる。
【００６２】
この端子１９による停止機能つきの第２混合器１２を本発明に用いることにより、第１混合器１０の出力周波数と第２混合器１２の出力周波数を、混合器の制御端子１９の制御電圧により、分周器出力により周波数変換されたものと周波数変換されないものとを切り替えることが可能となる。たとえば表１の（ＶＩＦ）−（第１ＳＩＦ）の周波数差が６．５ＭＨｚの場合、分周器出力に関係なく第１混合器１０と第２混合器１２の出力周波数を同じにすることが可能となる。
【００６３】
次に本発明の好ましい実施例としては、ＳＩＦ変換回路では発振器に水晶発振器を用いることが可能であり、これによって第１混合器１０および第２混合器１２に入力される発振信号はＱ値が高く安定しており位相ノイズ特性がよい。このため第２ＳＩＦ信号もノイズ特性のよい出力が得られ、音声ＳＮのよいＳＩＦ変換回路を提供することが可能である。
【００６４】
次に本発明の他の好ましい実施例として、ＳＩＦ変換回路では第２混合器１２が周波数変換動作をしてない状態では分周器の分周動作を停止する構成とすることも可能である。これにより分周器から出力される分周成分およびその高調波成分がなくなるため、これによる他のブロックへの妨害を最小限に抑制することが可能である。
【００６５】
次に本発明の他の好ましい実施例として、ＳＩＦ変換回路ではテレビジョン受信機またはＦＭ受信機に適用することにより小型で音声受信性能の優れた受信機を構成できる。本発明のＳＩＦ変換回路では水晶発振器の出力およびその分周出力を使用して周波数変換を行うためノイズ特性のよい安定した周波数変換出力が得られ、特に受信条件のよくない携帯受信機、車載等の移動体に最適なテレビジョン受信機またはＦＭ受信機を構成できる。
【産業上の利用可能性】
【００６６】
以上説明したように、本発明の活用例としては、車載等の移動体に最適なテレビジョン受信機、ＦＭ受信機等の音声受信機に有用である。
【図面の簡単な説明】
【００６７】
【図１】本発明の実施の形態１におけるＳＩＦ変換回路を含むテレビジョン受信機のブロック図である。
【図２】本発明の実施の形態２におけるＳＩＦ変換回路を含むテレビジョン受信機のブロック図である。
【図３】本発明の周波数変換回路に用いる分周回路の構成図である。
【図４】本発明の周波数変換回路に用いる混合器の回路構成図である。
【図５】従来のＳＩＦ変換回路を含むテレビジョン受信機のブロック図である。
【符号の説明】
【００６８】
１  テレビジョンアンテナ
２  テレビチューナ
３  映像中間周波帯域通過フィルタ
４  映像中間周波処理部
５  映像ベースバンド信号出力端子
６  音声中間周波処理部
７  音声ベースバンド信号出力端子
８  音声第一中間周波帯域通過フィルタ
９  音声第二中間周波帯域通過フィルタ
１０  第１混合器
１１  低域通過フィルタ
１２  第２混合器
１３  バッファアンプ
１４  水晶発振器
１５ａ，１５ｂ，１５ｃ  水晶振動子
１６  分周期切り替え端子
１７  分周期
１８  発振器
１９  混合器制御端子
２０  水晶振動子切り替え端子
１００  ＳＩＦ変換回路
１７１  分周期入力端子
１７２  第１分周回路１
１７３  第２分周回路
１７４  スイッチ回路
１７５  分周期出力端子
ａ，ｂ  分周回路の出力信号
２０１，２０２、２０３，２０４  混合器の入力端子
２０５，２０６  混合器の出力端子
２０７  電源端子
２０８、２０９  定電流源
２１０  接地端子
２１１  定電圧端子
Ｑ１，Ｑ２，Ｑ３，Ｑ４，Ｑ５，Ｑ６，Ｑ７  ＮＰＮトランジスタ
Ｒ１，Ｒ２，Ｒ３，Ｒ４，Ｒ５，Ｒ６  抵抗
Ｃ１，Ｃ２  コンデンサ
【表１】
2006148533.tif 000003
【図１】
2006148533.tif 000004
【図２】
2006148533.tif 000005
【図３】
2006148533.tif 000006
【図４】
2006148533.tif 000007
【図５】
2006148533.tif 000008